(57)【要約】【課題】取付具を設置面に設置した際、取付具の外周縁部が設置面から浮くことのないインターホン機器の設置構造を提供する。【解決手段】前面にインターホン親機１を取り付けるための取付凹部１４が設けられた取付パネル１１において、その後面の中央部に、取付パネル１１の後面の外周縁部よりも前方へ凹んだ反り防止用凹部１９を設け、当該反り防止用凹部１９内に、取付パネル１１を壁面に設置するための設置孔１８、１８・・を穿設した。したがって、取付パネル１１を壁面に設置した際、設置孔１８、１８・・の周縁部の歪みが取付パネル１１の外周縁部まで伝わりにくい上、外周縁部の方が設置孔１８、１８・・の穿設箇所よりも後方へ突出していることから、取付パネル１１の外周縁部が壁面から浮くことを確実に防止することができる。【選択図】図３
2019102836.tif 000002
【特許請求の範囲】
【請求項１】
取付具を介してインターホン機器を設置面に設置するためのインターホン機器の設置構造であって、
前記取付具の前面に、前記インターホン機器を取り付けるための取付部が設けられている一方、前記取付具の後面における上下方向及び／又は左右方向での中央部に、前記取付具の後面の外周縁部よりも前方へ凹んだ凹部が設けられており、
前記凹部内に、前記取付具を前記設置面に設置するための設置孔が穿設されていることを特徴とするインターホン機器の設置構造。
【発明の詳細な説明】
【技術分野】
【０００１】
本発明は、インターホン機器を壁面等の設置面へ設置するための設置構造に関するものである。
【背景技術】
【０００２】
従来、たとえばインターホン子機やインターホン親機等のインターホン機器は、壁面等の設置面に設置して使用されることが多い。そして、インターホン機器を壁面に設置するにあたっては、インターホン機器と壁面との間に取付台等の取付具を介在させることが一般的である（たとえば特許文献１）。
【先行技術文献】
【特許文献】
【０００３】
【特許文献１】特開２０１５−１０６７３６号公報
【発明の概要】
【発明が解決しようとする課題】
【０００４】
使用中のインターホン機器をリニューアル等する場合、既に設置面に開設されている配線のための孔を隠す等するために、比較的大型の取付具を採用することがある。しかしながら、そのような大型の取付具において、たとえば取付具の中央部と設置面とをネジ止めすると、取付箇所の歪みが取付具の外周縁部にまで伝わって取付具が反ってしまい、ひいては取付具の外周縁部が設置面から浮いてしまって見栄えが悪くなるという問題が生じる。
【０００５】
そこで、本発明は、上記問題に鑑みなされたものであって、取付具を設置面に設置した際、取付具の外周縁部が設置面から浮くことのないインターホン機器の設置構造を提供しようとするものである。
【課題を解決するための手段】
【０００６】
上記目的を達成するために、本発明は、取付具を介してインターホン機器を設置面に設置するためのインターホン機器の設置構造であって、取付具の前面に、インターホン機器を取り付けるための取付部が設けられている一方、取付具の後面における上下方向及び／又は左右方向での中央部に、取付具の後面の外周縁部よりも前方へ凹んだ凹部が設けられており、凹部内に、取付具を設置面に設置するための設置孔が穿設されていることを特徴とする。
【発明の効果】
【０００７】
本発明によれば、前面にインターホン機器を取り付けるための取付部が設けられた取付具において、その後面における上下方向及び／又は左右方向での中央部に、取付具の後面の外周縁部よりも前方へ凹んだ凹部を設け、当該凹部内に、取付具を設置面に設置するための設置孔を穿設している。したがって、取付具を設置面に設置した際、設置孔周縁の歪みが取付具の外周縁部まで伝わりにくい上、外周縁部の方が設置孔の穿設箇所よりも後方へ突出していることから、取付具の外周縁部が設置面から浮くことを確実に防止することができる。
【図面の簡単な説明】
【０００８】
【図１】インターホン親機を取付パネルに取り付けた状態を正面から示した説明図である。
【図２】取付パネルの前面側を示した斜視説明図である。
【図３】取付パネルの後面側を示した斜視説明図である。
【図４】取付パネルの正面を示した説明図である。
【図５】図４中のＡ−Ａ線断面を示した説明図である。
【図６】図５中の要部Ｃを拡大して示した説明図である。
【図７】図４中のＢ−Ｂ線断面を示した説明図である。
【図８】図７中の要部Ｄを拡大して示した説明図である。
【発明を実施するための形態】
【０００９】
以下、本発明の一実施形態となるインターホン親機の壁面への設置構造について、図面にもとづき詳細に説明する。
【００１０】
図１は、インターホン親機１を取付パネル１１に取り付けた状態を正面から示した説明図である。図２は、取付パネル１１の前面側を示した斜視説明図である。図３は、取付パネル１１の後面側を示した斜視説明図である。図４は、取付パネル１１の正面を示した説明図である。図５は、図４中のＡ−Ａ線断面を示した説明図である。図６は、図５中の要部Ｃを拡大して示した説明図である。図７は、図４中のＢ−Ｂ線断面を示した説明図である。図８は、図７中の要部Ｄを拡大して示した説明図である。
【００１１】
インターホン親機１は、前側に配置される前ケースと、後側に配置される後ケースとを組み付けてなる本体ケース３と、本体ケース３の左隣へ取付可能とされたハンドセット２と、本体ケース３の前面に組み付けられる化粧パネル６とを有している。また、本体ケース３の前面には、図示しないインターホン子機で撮像された映像等を表示するための映像表示部７、インターホン子機との間で通話するための通話部８、及び各種ボタン９、９・・等が設けられている。そして、このインターホン親機１は、本体ケース３の背面側に取り付けられる取付パネル１１を介して壁面等の設置面に設置される。
【００１２】
ここで、本発明の要部となる取付パネル１１について詳細に説明する。
取付パネル１１は、左右方向に長い正面視矩形に成形された合成樹脂製の板状部材であって、取付パネル１１の上辺及び下辺に沿って、前方へ突出する壁部（上壁部１２、下壁部１３）が設けられており、この上壁部１２と下壁部１３との間の凹部が、インターホン親機１を取り付けるための取付凹部１４とされている。この取付凹部１４の上部及び下部には、インターホン親機１と取付パネル１１とを一体化する（すなわち、取付パネル１１にインターホン親機１を取り付ける）ための取付孔１５、１５・・が穿設されている。また、取付凹部１４の外周縁部（取付パネル１１の外周縁部となる）には、臨時の際に使用するアンカー用ボルト孔１６、１６・・が穿設されている。一方、取付パネル１１の略中央部には、インターホン親機１に接続するケーブルを配線するための開口１７が開設されている。また、開口１７の周縁には、取付パネル１１を設置面に設置するための設置孔１８、１８・・が穿設されている。
【００１３】
そして、取付パネル１１の後面における中央部（厳密には特に左右方向での中央部であって、上縁部に設けられているアンカー用ボルト孔１６よりは下側（中央寄り）となる箇所）には、アンカー用ボルト孔１６の周縁部よりも設置孔１８、１８・・の周縁部の方が前方に位置するように、反り防止用凹部１９が設けられている。言い換えるなら、取付パネル１１の後面の中央部に、取付パネル１１の外周縁部よりも前方へ凹んだ反り防止用凹部１９が設けられており、当該反り防止用凹部１９内に設置孔１８、１８・・が穿設されていることになる。
【００１４】
上述したような取付パネル１１を介してインターホン親機１を壁面に設置するにあたっては、設置孔１８、１８・・を利用して取付パネル１１を壁面に設置した上で、取付凹部１４にインターホン親機１をネジ止め等して取り付ければよい。取付パネル１１を壁面に設置するにあたり、設置孔１８、１８・・の周縁部が僅かに歪むものの、設置孔１８、１８・・は反り防止用凹部１９内に設けられているため、その歪みは取付パネル１１の外周縁部にまで伝わりにくい。さらに、外周縁部の方が取付箇所よりも後方へ突出していることもあって、外周縁部が壁面から浮いたりすることなく、取付パネル１１を壁面に設置することができる。
【００１５】
以上のような構成を有するインターホン親機１の壁面への設置構造によれば、前面にインターホン親機１を取り付けるための取付凹部１４が設けられた取付パネル１１において、その後面の中央部に、取付パネル１１の後面の外周縁部よりも前方へ凹んだ反り防止用凹部１９を設け、当該反り防止用凹部１９内に、取付パネル１１を壁面に設置するための設置孔１８、１８・・を穿設している。したがって、取付パネル１１を壁面に設置した際、設置孔１８、１８・・の周縁部の歪みが取付パネル１１の外周縁部まで伝わりにくい上、外周縁部の方が設置孔１８、１８・・の穿設箇所よりも後方へ突出していることから、取付パネル１１の外周縁部が壁面から浮くことを確実に防止することができる。
【００１６】
なお、本発明に係るインターホン機器の設置構造は、インターホン機器の構成は勿論、取付具に係る構成等についても、本発明の趣旨を逸脱しない範囲で必要に応じて適宜変更することができる。
【００１７】
たとえば上記実施形態ではインターホン親機の設置構造について説明しているが、本発明は、インターホン子機等の他のインターホン機器の設置構造としても好適に採用することができる。
また、設置孔や取付孔の位置や数、形状についても、上記形態の位置や数、形状に何ら限定されることはない。すなわち、上記実施形態では特に左右方向での中央部に凹部や取付孔を設けているが、取付具の形状等によっては特に上下方向での中央部に凹部や取付孔を設けてもよい。
さらに、上記実施形態では取付具の外周縁部に、臨時に使用するアンカー用ボルト孔を穿設しているが、当該アンカー用ボルト孔を穿設しないような構成（ただし、取付具の後面におけるアンカー用ボルト孔の周縁部に該当する箇所は、凹部よりも後方へ突出しているものとする）を採用することも可能である。
【符号の説明】
【００１８】
１・・インターホン親機（インターホン機器）、１１・・取付パネル（取付具）、１４・・取付凹部（取付部）、１５・・取付孔、１６・・アンカー用ボルト孔、１８・・設置孔、１９・・反り防止用凹部（凹部）。
【図１】
2019102836.tif 000003
【図２】
2019102836.tif 000004
【図３】
2019102836.tif 000005
【図４】
2019102836.tif 000006
【図５】
2019102836.tif 000007
【図６】
2019102836.tif 000008
【図７】
2019102836.tif 000009
【図８】
2019102836.tif 000010